【事件の表示】
　特願２００３−５８６６８８「物理レイヤ処理において使用するためのソフトウェアパラメータ化可能な制御ブロック」拒絶査定不服審判事件〔平成１５年１０月３０日国際公開、ＷＯ０３／９００１１、平成１７年　７月２８日国内公表、特表２００５−５２２９６３〕について、次のとおり審決する。
【結　論】
　本件審判の請求は、成り立たない。
【理　由】
第１　手続の経緯
　本願は、２００３年４月１５日（パリ条約による優先権主張外国庁受理２００２年４月１５日、米国）を国際出願日とする出願であって、平成１８年９月１１日付けで拒絶理由が通知され、平成１９年３月８日付けで手続補正がなされ、同年６月１３日付けで拒絶査定がなされ、これに対し、同年９月１３日に拒絶査定不服の審判が請求されたものである。
　
第２　本願発明
　特許請求の範囲の請求項１に係る発明（以下、「本願発明」という。）は、平成１９年３月８日付け手続補正書により補正された特許請求の範囲、明細書及び図面の記載からみて、その特許請求の範囲の請求項１に記載された以下のとおりのものと認める。
　
　「時分割双方向（ＴＤＤ）モードと周波数分割双方向（ＦＤＤ）モードの両方で動作することができる無線ユーザ装置であって、
　複数の無線フォーマットでの送信のためのネットワークデータを受け取って該受け取ったネットワークデータのトランスポートチャネルを処理する送信トランスポートチャネルプロセッサと、
　該処理したトランスポートチャネルを複数の無線フォーマットで受け取り、および、ＴＤＤモードで動作している場合はリソースユニットを生成してＦＤＤモードで動作している場合は物理チャネルを生成する送信複合チャネルプロセッサと、
　該生成した物理チャネルを無線インタフェースを介して伝送するためにフォーマットするＦＤＤ送信チップレートプロセッサと、
　前記リソースユニットを前記無線インタフェースを介して伝送するためにフォーマットするＴＤＤ送信チップレートプロセッサと
を備えることを特徴とする装置。」
　
第３　引用発明
　原審の拒絶理由に引用された特開平９−１９１２７６号公報（以下、「引用例」という。）には図面とともに以下の事項が記載されている。
　
イ．「【０００１】
【発明の属する技術分野】本発明は、符号分割多元接続（ＣＤＭＡ：Code Division Multiple Access ）移動通信システムに係り、特に、周波数分割全二重（Frequency Division Duplex ：ＦＤＤ）と、時間分割全二重（Time Division Duplex：ＴＤＤ）との双方を１台で実現した移動通信システム用送受信機に関するものである。」（３頁３欄）
　
ロ．「【００１４】
【発明の実施の形態】以下、図面を参照して、本発明の実施形態を説明する。
【００１５】まず、本発明において用いているＣＤＭＡ移動通信システムの伝送方法を説明する。
【００１６】図１（Ａ）は、通常の移動通信におけるフレーム構成を示している。送信すべきユーザデータ系列は、予め定めた時間長のフレームに分割される。次に、各フレームの先頭部に制御データを付加するとともに、各フレームの最後部に各フレーム毎のユーザデータの検査符号（例えばＣＲＣ符号）を付加して、１フレーム分のデータを作成する。図１（Ａ）において、フレームデータに空きがあるのは、制御データ、ユーザデータおよび検査符号を合わせた合計伝送レートが、最大可能なレートより低いときである。
【００１７】１フレームデータを図３のようにインタリーブし、図１（Ｂ）の無線チャネルフレームにマッピングする。フレームには、既知のパイロット・シンボルか周期的に挿入されている。このパイロット・シンボルを用いて、受信側で同期検波する。この方法は例えば、三瓶、“陸上移動通信用１６ＱＡＭのフェージングひずみ補償方式”、信学論（Ｂ−ＩＩ）、ｖｏｌ．Ｊ−７２−Ｂ−ＩＩ、ｐｐ．７−１５、１９８９年１月に開示されている。または、その英語版である S. Sampei, Fading Compensation for 16QAM in Land Mobile Communications, The Transactions of the Institute of Electronics, Information and CommunicationEngineers of Japan B-II, Vol. J72-B-II pp. 7-15, January 1989, and S. Sampei, et al. Rayleigh Fading Compensation for QAM in Land Mobile RadioCommunications, IEEE Transactions on Vehicular Technology, VOL. 42. No. 2, MAY 1993 を参照。
【００１８】図１（Ｂ）において、パイロット・シンボルで囲まれた区間をスロットと呼ぶ。１フレームがＮs 個のスロットで構成され、１スロットがＭs ビットで構成されているとすると、１フレームは、Ｎs ＊Ｍs ビットで構成される。
【００１９】このように構成されたシンボル系列を１次変調し、変調シンボルレートの整数倍（数十から数百倍）のチップレートの拡散符号系列で２次変調して、送信している。
【００２０】既知のパイロット・シンボルを周期的に挿入して送信した場合、受信側は、このパイロット・シンボルを用いて、スロット内の各データ位置における伝送路の状態を推定し、同期検波用の参照信号として用いている（上に示したS. Sampeiの論文等を参照）。
【００２１】一方、送信側は、送信データを組み替えるためのインタリーバを備えている。
【００２２】図２は、このインタリーバが使用するインタリーブ・メモリ３Ａを示す概念図であり、１フレーム分の構成を示している。このメモリの行のビット数（列数）は、１フレームを構成するスロットの数Ｎs であり、列のビット数（行数）は、１スロットを構成する最大ビット数Ｍs と等しい。このインタリーブ・メモリにおいて、１フレーム分の送信データを書き込むときには、横方向に１ビットづつ書き込み、読み出すときは、縦方向に読み出す。
【００２３】図３は、インタリーブ・メモリ３Ａにデータが書き込まれた様子を示す。図３に示すように、このインタリーブ・メモリ３Ａには、誤り検出訂正のための検査符号（ＣＲＣ）を含む、１フレーム分のデータが書き込まれる。この様に書き込まれたインタリーブ・メモリ３Ａから、縦方向に（列毎に）読み出して、順番にスロットにマッピングする。すると、列番号（１〜Ｎs ）が、図１（Ｂ）のスロット番号に対応することになる。このように、インタリーブ・メモリから読み出すと、各スロットは、図１（Ｃ）に示すようになる。図１（Ｃ）の空きは、図１（Ａ）および図３において、１フレームのデータに空きがあることに対応している。」（４頁５〜６欄）
　
ハ．「【００２７】まず、図５を参照して、周波数分割全二重（ＦＤＤ）と時間分割全二重（ＴＤＤ）について説明する。図５は、ＦＤＤとＴＤＤの、１つの周波数に対する送信の様子を示す概念図で、図５（Ａ）は、ＦＤＤモードにおける送信データを示し、図５（Ｂ）は、ＴＤＤモードにおける送信データを示している。
【００２８】まず、図５（Ａ）は、送受信機の送信部が、割り当てられた周波数を占有して送信している様子を示している。なお、この送受信機の受信部は、別の周波数を用いてデータを受信している。
【００２９】一方、図５（Ｂ）は、同じ周波数を用いて、送信と受信とを時間によって切り換えている様子を示している。この場合、パイロット・シンボルを付与することから、１スロット毎に送信と受信とを切り換えることが望ましい。
【００３０】図６は、このようなＦＤＤとＴＤＤとを、１台の無線機で実現した送受信機の構成を示す。図６において、フレーム化部１は、送信データを１フレームごとにまとめる。誤り訂正符号器２は、１フレーム毎にまとめられたデータを誤り訂正符号化する。インタリーバ３は、図２に示したインタリーブ・メモリ３Ａを有しており、１フレームのデータを１スロット毎のデータに組み立てる。このインタリーブ・メモリ３Ａの読み出しにおいて、列から列への移行速度ＶT （列／秒）は一定であるが、各列内データ（Ｍs ビット／列）を読み出す読み出し速度ＶR（ビット／秒）は、ＦＤＤとＴＤＤのモードによって切り換えることができる。これについては、後でさらに詳しく説明する。
【００３１】データ変調器４は、インタリーブ・メモリ３Ａから読み出したデータを１次変調する。拡散変調器５は、データ変調器４の出力を、狭帯域変調信号から広帯域信号へ２次変調し、拡散信号を出力する。周波数変換器６は、この拡散信号をキャリア周波数に変換し、送信信号を出力する。このキャリアは、キャリア周波数発生器９から周波数変換器６に供給される。こうして作られた送信信号は、送受信分波器７およびアンテナ１５を介して、空中に無線送信される。」（５頁７欄）
　
ニ．「【００３５】これらの送信部および受信部は、主制御部２０および副制御部２１によって制御される。
【００３６】図７は、副制御部２１の構成を示すブロック図である。図において、リードクロック発生器２２は、インタリーバ３のメモリ３Ａとデインタリーバ１１のメモリ１１Ａの読み出しクロックを発生する。一方、ライトクロック発生器２３は、メモリ３Ａおよび１１Ａの書き込みクロックを発生する。これらのクロックの周波数は、ＴＤＤモードにおいて、メモリ３Ａの読み出し速度ＶR とメモリ１１Ａの書き込み速度ＶW が、ともに通常速度ＶN ＝Ｍs ＊ＶT （ビット／秒）の２倍より大きくなるように、クロック制御部２４によって制御される。ここで、Ｍsはメモリ３Ａおよび１１Ａの１列のデータビット数（ビット／列）であり、ＶTは列から列への移行速度（列／秒：一定）である。このように、メモリ３Ａの読み出し速度ＶR と、メモリ１１Ａの書き込み速度ＶW を、通常速度の２倍より大きくするのは、インタリーバ３の出力に、空き時間を発生させるためである。例えば、ＶR ＝２．５ＶN のとき、１スロット内に０．６スロット分の空き時間が発生する。この空き時間に、送信と受信とを切り換えることができる。
【００３７】さらに説明する。副制御部２１のクロック制御部２４は、ＦＤＤモードにおいては、メモリ３Ａの読み出し速度ＶR とメモリ１１Ａの書き込み速度ＶW とが、ともに通常速度ＶN になるような周波数のクロックを発生するように、クロック発生器２２および２３を制御する。一方、ＴＤＤモードにおいては、メモリ３Ａの読み出し期間には、読み出し速度ＶR が通常速度の２倍より大きい値、例えば２．５ＶN となり、メモリ１１Ａの書き込み期間には、書き込み速度ＶW が通常速度の２倍より大きい値、例えば２．５ＶN となるような周波数のクロックを発生するように、クロック発生器２２および２３を制御する。なお、メモリ３Ａへの書き込み速度およびメモリ１１Ａからの読み出しは、ＦＤＤおよびＴＤＤのいずれのモードにおいても通常速度ＶN で行われる。
【００３８】キャリア周波数制御部２５は、主制御部２０の指示に応じて、キャリア周波数発生器９が発生するキャリアの周波数を制御する。すなわち、ＦＤＤモードにおいては、送信キャリア周波数ｆT と送信キャリア周波数ｆR とが所定の異なる周波数となるように、キャリア周波数発生器９を制御する一方、ＴＤＤにモードにおいては、送信キャリア周波数ｆT と受信キャリア周波数ｆR とが、同一周波数となるように、キャリア周波数発生器９を制御する。
【００３９】このような構成において、ＦＤＤとＴＤＤとを１台の送受信機で実現するための、本実施例の動作を説明する。
【００４０】送信すべきデータ系列は、フレーム化部１に供給される。フレーム化部１は、この送信データ系列をあらかじめ定めた１フレーム時間（Ｔf ）毎のデータに分割し、フレームを構成する。誤り訂正符号器２は、各フレーム毎に、そのフレーム内の送信データを誤り訂正符号化し、インタリーバ３に供給する。インタリーバ３は、送信データを、通常速度ＶN で、Ｍs 行×Ｎs 列のインタリーブ・メモリ３Ａに、行毎（横方向）に書き込む。このとき、最初の行にパイロット・シンボルを書き込めば、後でパイロット・シンボルを付加する必要がない。インタリーバ３は、１フレーム分の送信データを書き込んだ後、書き込まれた送信データを、今度は、列（縦方向）毎に読み出す。以下、ＦＤＤモードとＴＤＤモードとに分けて、動作説明する。
【００４１】（１）ＦＤＤモードの動作
ＦＤＤモードの場合、送信部のインタリーバ３は、リードクロック発生器２２から供給されたクロック信号によって、通常速度ＶN （＝Ｍs ・ＶT ）ビット／秒で、インタリーブ・メモリ３Ａ内の送信データを列毎に読み出す。すなわち、ＦＤＤモードの場合、メモリ３Ａの読み出し速度は、ＶR ＝ＶN である。メモリ３Ａの各列が１スロットを構成するので、１スロットはＭs ビットで構成される（パイロット・シンボルを含む）。
【００４２】インタリーバ３で作成された送信データ系列は、データ変調器４でデータ変調され、拡散変調器５で拡散変調される。そして、周波数変調器６で指定された送信周波数ｆT に変換された後、送信される。この送受信機は、送受信分波器７を備えており、ここで送信と受信の周波数成分を分別する。」（５頁８欄〜６頁９欄）
　
ホ．「【００４５】（２）ＴＤＤモードの動作
ＴＤＤモードの場合、副制御回路２１のキャリア周波数制御部２５は、送信周波数ｆT と受信周波数ｆR とを同一（ｆT ＝ｆR ）に設定する。それとともに、インタリーブ・メモリ３Ａの読み出し速度ＶR をＶR ＞２ＶN とし、デインタリーブ・メモリ１１Ａの書き込み速度ＶW は、ＶW ＞２ＶN とする。例えば、インタリーブメモリ３ＡのＶR ＝  デインタリーブメモリ１１ＡのＶW ＝  ２．５ＶN とし、１スロット内に０．６スロット分の空き時間をつくる。この空き時間に、送信と受信とを切り換えることができる。その他の動作は、ＦＤＤモードの場合と同様である。
【００４６】なお、拡散変調はデータ変調後の信号を、送信データのビットレートより高速レートの拡散系列で変調するが、ＴＤＤモードのときの拡散系列速度（チップレート）を、ＦＤＤモードのときのそれと同じにしてもよいし、ＦＤＤモードの読み出し速度等とおなじ倍率の速度としてもよい。」（６頁１０欄）
　
　上記引用例の記載及び図面ならびにこの分野における技術常識を考慮すると、上記摘記事項イ．によれば、移動通信システム用送受信機は、時間分割全二重（ＴＤＤ）モードと周波数分割全二重（ＦＤＤ）モードの両方で動作することができる。
　また、上記摘記事項ハ．の【００３０】の記載、及び図６によれば、フレーム化部（１）及び誤り訂正符号器（２）は、時間分割全二重（ＴＤＤ）と周波数分割全二重（ＦＤＤ）の無線フォーマットでの送信のための送信データを受け取って該受け取った送信データを処理しており、これらをまとめてフレーム化及び誤り訂正符号化送信処理手段ということができる。
　また、上記摘記事項ハ．の【００３０】、上記摘記事項ニ．の【００３６】、【００３７】、【００４１】、上記摘記事項ホ．の【００４５】の記載、図６及び図７によれば、インタリーバ（３）、主制御部（２０）及び副制御部（２１）は、前述のフレーム化及び誤り訂正符号化送信処理したデータを受け取り、および、時間分割全二重（ＴＤＤ）モードで動作している場合は、読み出し速度が通常速度の２倍より大きいデータを生成して、周波数分割全二重（ＦＤＤ）モードで動作している場合は、読み出し速度が通常速度のデータを生成しており、これらをまとめて送信複合処理手段ということができる。
　また、上記摘記事項ハ．の【００３１】、上記摘記事項ニ．の【００４２】、上記摘記事項ホ．の【００４６】の記載、及び図６によれば、データ変調器（４）、拡散変調器（５）及び周波数変換器（６）は、前述の送信複合処理手段が生成した読み出し速度が通常速度のデータ及び読み出し速度が通常速度の２倍より大きいデータを送受分波器（７）やアンテナ（１５）のような無線インタフェースを介して無線送信伝送するために拡散変調等の信号処理を行っており、ここで、拡散処理は、上記摘記事項ロ．の【００１９】にあるようにチップレートで行われるものであるから、これらをまとめて送信チップレート処理手段ということができる。
　
　したがって、引用例には以下の発明（以下、「引用発明」という。）が記載されている。
　
　「時間分割全二重（ＴＤＤ）モードと周波数分割全二重（ＦＤＤ）モードの両方で動作することができる移動通信システム用送受信機であって、
　時間分割全二重（ＴＤＤ）と周波数分割全二重（ＦＤＤ）の無線フォーマットでの送信のための送信データを受け取って該受け取った送信データを処理するフレーム化及び誤り訂正符号化送信処理手段と、
　該処理したデータを受け取り、および、時間分割全二重（ＴＤＤ）モードで動作している場合は、読み出し速度が通常速度の２倍より大きいデータを生成して、周波数分割全二重（ＦＤＤ）モードで動作している場合は、読み出し速度が通常速度のデータを生成する送信複合処理手段と、
　該生成した読み出し速度が通常速度のデータ及び読み出し速度が通常速度の２倍より大きいデータを無線インタフェースを介して伝送するために処理する送信チップレート処理手段と
を備える移動通信システム用送受信機。」
　
第４　対比
　本願発明と引用発明とを対比する。
ａ．引用発明の「時間分割全二重（ＴＤＤ）」、「周波数分割全二重（ＦＤＤ）」及び「送信データ」は、本願発明の「時分割双方向（ＴＤＤ）」、「周波数分割双方向（ＦＤＤ）」及び「ネットワークデータ」に対応する構成であり、それぞれの間に実質的な差異はない。
ｂ．引用発明の「移動通信システム用送受信機」は、無線ユーザ装置の一種である。
ｃ．引用発明の「該受け取った送信データを処理するフレーム化及び誤り訂正符号化送信処理手段」と、本願発明の「該受け取ったネットワークデータのトランスポートチャネルを処理する送信トランスポートチャネルプロセッサ」とは、上記ａ．の対比を考慮すれば、いずれも、「該受け取ったネットワークデータを処理する送信処理手段」という点で一致する。
ｄ．引用発明の「該処理したデータ」と、本願発明の「該処理したトランスポートチャネル」とは、いずれも、「該処理した特定の要素」という点で一致する。
ｅ．引用発明の「読み出し速度が通常速度の２倍より大きいデータ」と、本願発明の「リソースユニット」とは、いずれも、「時間分割全二重（ＴＤＤ）」（時分割双方向（ＴＤＤ））モードで動作する場合の要素であるから、「ＴＤＤモードの要素」という点で一致する。
ｆ．引用発明の「読み出し速度が通常速度のデータ」と、本願発明の「物理チャネル」とは、いずれも、「周波数分割全二重（ＦＤＤ）」（周波数分割双方向（ＦＤＤ））モードで動作する場合の要素であるから、「ＦＤＤモードの要素」という点で一致する。
ｇ．引用発明の「送信複合処理手段」と、本願発明の「送信複合チャネルプロセッサ」とは、いずれも、「送信複合処理手段」という点で一致する。
ｈ．引用発明の「該生成した読み出し速度が通常速度のデータ及び読み出し速度が通常速度の２倍より大きいデータを無線インタフェースを介して伝送するために処理する送信チップレート処理手段」と、本願発明の「該生成した物理チャネルを無線インタフェースを介して伝送するためにフォーマットするＦＤＤ送信チップレートプロセッサと、前記リソースユニットを前記無線インタフェースを介して伝送するためにフォーマットするＴＤＤ送信チップレートプロセッサ」とは、上記ｅ．及びｆ．の対比を考慮すれば、いずれも、「該生成したＦＤＤモードの要素及びＴＤＤモードの要素を無線インタフェースを介して伝送するために処理する送信チップレート処理手段」という点で一致する。
　
　したがって、本願発明と引用発明は、以下の点で一致ないし相違する。
　
＜一致点＞
　
　「時分割双方向（ＴＤＤ）モードと周波数分割双方向（ＦＤＤ）モードの両方で動作することができる無線ユーザ装置であって、
　複数の無線フォーマットでの送信のためのネットワークデータを受け取って該受け取ったネットワークデータを処理する送信処理手段と、
　該処理した特定の要素を受け取り、および、ＴＤＤモードで動作している場合はＴＤＤモードの要素を生成してＦＤＤモードで動作している場合はＦＤＤモードの要素を生成する送信複合処理手段と、
　該生成したＦＤＤモードの要素及びＴＤＤモードの要素を無線インタフェースを介して伝送するために処理する送信チップレート処理手段と
を備える装置。」
　
＜相違点１＞
　
　「送信処理手段」に関し、
　本願発明は、「ネットワークデータのトランスポートチャネル」を処理する送信「トランスポートチャネルプロセッサ」であるのに対し、
　引用発明は、送信データを処理するフレーム化及び誤り訂正符号化送信処理手段である点。
　
＜相違点２＞
　
　「送信複合処理手段」に関し、
　本願発明は、「該処理したトランスポートチャネルを複数のフォーマットで」受け取り、および、ＴＤＤモードで動作している場合は「リソースユニット」を生成してＦＤＤモードで動作している場合は「物理チャネル」を生成する送信複合「チャネルプロセッサ」であるのに対し、
　引用発明は、該処理したデータを受け取り、および、時間分割全二重（ＴＤＤ）モードで動作している場合は、読み出し速度が通常速度の２倍より大きいデータを生成して、周波数分割全二重（ＦＤＤ）モードで動作している場合は、読み出し速度が通常速度のデータを生成する送信複合処理手段である点。
　
＜相違点３＞
　
　「送信チップレート処理手段」に関し、
　本願発明は、「該生成した物理チャネルを無線インタフェースを介して伝送するためにフォーマットするＦＤＤ送信チップレートプロセッサと、前記リソースユニットを前記無線インタフェースを介して伝送するためにフォーマットするＴＤＤ送信チップレートプロセッサ」であるのに対し、
　引用発明は、該生成した読み出し速度が通常速度のデータ及び読み出し速度が通常速度の２倍より大きいデータを無線インタフェースを介して伝送するために処理する送信チップレート処理手段である点。
　
第５　判断
　そこで、まず、上記相違点１について検討する。
　第３世代パートナーシッププロジェクト（３ＧＰＰ）において、ネットワークデータのトランスポートチャネルを処理することは、例えば、原審の拒絶理由に引用された３ＧＰＰ，ＴＳ　２５．２１２，Ｖ４．４．０，３ＧＰＰ，２００２年３月，４章、３ＧＰＰ，ＴＳ　２５．２２２，Ｖ４．３．０，３ＧＰＰ，２００２年３月，４章に開示されているように周知であり、また、機能毎の処理手段をプロセッサとすることは、例えば、特開平８−１６７８６６号公報に開示されているように慣用手段であって、引用発明に周知・慣用手段を採用することに格別の困難性はないから、引用発明に周知・慣用手段を適用して、本願発明のように「ネットワークデータのトランスポートチャネル」を処理する送信「トランスポートチャネルプロセッサ」とすることは当業者が容易に成し得ることである。
　
　次に、上記相違点２について検討する。
　引用発明も、時間分割全二重（ＴＤＤ）と周波数分割全二重（ＦＤＤ）の複数の無線フォーマットで送信するものであり、また、機能毎の処理手段をプロセッサとすることは慣用手段であるから、引用発明に慣用手段を適用して、本願発明のように「該処理したトランスポートチャネルを複数のフォーマットで」受け取り、送信複合「チャネルプロセッサ」とすることは当業者が容易に成し得ることである。そして、その際、より具体的に、ＴＤＤモードで動作している場合は「リソースユニット」を生成して、ＦＤＤモードで動作している場合は「物理チャネル」を生成するようにすることは当業者が適宜成し得ることである。
　
　次に、上記相違点３について検討する。
　引用発明も、時間分割全二重（ＴＤＤ）と周波数分割全二重（ＦＤＤ）の複数の無線フォーマットで送信するものであり、また、機能毎の処理手段をプロセッサとすることは慣用手段であるから、引用発明に慣用手段を適用し、その際、無線フォーマットの差異を考慮すれば、本願発明のように「該生成した物理チャネルを無線インタフェースを介して伝送するためにフォーマットするＦＤＤ送信チップレートプロセッサと、前記リソースユニットを前記無線インタフェースを介して伝送するためにフォーマットするＴＤＤ送信チップレートプロセッサ」とすることは当業者が容易に成し得ることである。
　
　そして、本願発明の作用効果も、引用発明及び周知・慣用手段から当業者が容易に予測できる範囲のものである。
　
第６　むすび
　以上のとおり、本願発明は、引用発明及び周知・慣用手段に基いて当業者が容易に発明をすることができたものと認められるから、特許法第２９条第２項の規定により特許を受けることができない。
　
　よって、結論のとおり審決する。